(57)【特許請求の範囲】
【請求項１】
１又は複数の遊技機を配設して形成される遊技機島に設けられる遮蔽ユニットを複数有し、
複数の前記遮蔽ユニットに向けて制御信号を送信可能な操作装置をさらに備え、
前記遮蔽ユニットは、立板状の遮蔽板部と、外郭部材を有するものであり、
前記遮蔽板部は、前記外郭部材に対し、前記外郭部材の内側から外側へ向かう突出方向への移動と、前記外郭部材の外側から内側へ向かう退入方向への移動が可能な状態で取り付けられており、
前記操作装置から制御信号が送信されることで、複数の前記遮蔽ユニットの前記遮蔽板部がいずれも前記突出方向へ移動する、又は、いずれも前記退入方向へ移動するものであり、
前記遮蔽ユニットは、動力生成部と、動作規制部とを有し、
前記動力生成部は、前記外郭部材の内側から外側へ向かう力、又は、前記外郭部材の外側から内側へ向かう力を前記遮蔽板部に対して付与するように、前記遮蔽板部と直接又は間接的に連結され、
前記遮蔽板部が前記突出方向への移動前の状態、又は、前記退入方向への移動前の状態であるとき、前記動力生成部が常時力を付与するものであり、
前記動作規制部は、前記遮蔽板部又は前記遮蔽板部に固定された連結用部材と係合可能であり、
前記操作装置から制御信号が送信されることで、複数の前記遮蔽ユニットのそれぞれで前記動作規制部と前記遮蔽板部又は前記連結用部材の係合が解除され、複数の前記遮蔽ユニットの前記遮蔽板部がいずれも前記突出方向へ移動する、又は、いずれも前記退入方向へ移動するものであり、
前記遮蔽ユニットは、前記動力生成部と前記遮蔽板部の間に介在する動力伝達機構を備え、
前記動力生成部は、前記動力伝達機構に対し、前記突出方向及び前記退入方向の双方とは異なる方向に力を加えるものであり、
前記動力伝達機構によって力の向きが変換されて、前記遮蔽板部に前記外郭部材の内側から外側へ向かう力、又は、前記外郭部材の外側から内側へ向かう力が付与されることを特徴とする遊技場用設備。
【請求項２】
１又は複数の遊技機を配設して形成される遊技機島に設けられる遮蔽ユニットを複数有し、
複数の前記遮蔽ユニットに向けて制御信号を送信可能な操作装置をさらに備え、
前記遮蔽ユニットは、立板状の遮蔽板部と、外郭部材を有するものであり、
前記遮蔽板部は、前記外郭部材に対し、前記外郭部材の内側から外側へ向かう突出方向への移動と、前記外郭部材の外側から内側へ向かう退入方向への移動が可能な状態で取り付けられており、
前記操作装置から制御信号が送信されることで、複数の前記遮蔽ユニットの前記遮蔽板部がいずれも前記突出方向へ移動する、又は、いずれも前記退入方向へ移動するものであり、
前記遮蔽ユニットは、動力生成部と、動作規制部とを有し、
前記動力生成部は、前記外郭部材の内側から外側へ向かう力、又は、前記外郭部材の外側から内側へ向かう力を前記遮蔽板部に対して付与するように、前記遮蔽板部と直接又は間接的に連結され、
前記遮蔽板部が前記突出方向への移動前の状態、又は、前記退入方向への移動前の状態であるとき、前記動力生成部が常時力を付与するものであり、
前記動作規制部は、前記遮蔽板部又は前記遮蔽板部に固定された連結用部材と係合可能であり、
前記操作装置から制御信号が送信されることで、複数の前記遮蔽ユニットのそれぞれで前記動作規制部と前記遮蔽板部又は前記連結用部材の係合が解除され、複数の前記遮蔽ユニットの前記遮蔽板部がいずれも前記突出方向へ移動する、又は、いずれも前記退入方向へ移動するものであり、
前記動作規制部は、棒状部と本体部を有しており、
前記操作装置から制御信号が送信されることで、前記棒状部が前記本体部の内側へ向かって移動するものであり、
前記連結用部材には欠落部が形成されており、前記棒状部が前記欠落部に挿入されることで、前記動作規制部と前記連結用部材が係合するものであり、前記棒状部が前記本体部の内側へ向かって移動することで、前記動作規制部と前記連結用部材が係合解除されることを特徴とする遊技場用設備。
【請求項３】
前記遮蔽ユニットには、個別操作装置が設けられており、
前記個別操作装置が操作された前記遮蔽ユニットの前記遮蔽板部のみが前記突出方向へ移動する、又は、前記退入方向へ移動することを特徴とする請求項１又は２に記載の遊技場用設備。
【発明の詳細な説明】
【技術分野】
【０００１】
本発明は、遊技場で使用される遊技場用設備に関するものであり、より詳細には、並列配置された遊技機間に位置する遮蔽部材を備えて形成される遊技場設備に関する。
【背景技術】
【０００２】
ぱちんこ機やスロット機等の遊技機が設置されている遊技場では、一般的に、複数の遊技機が列状に並設されて形成される遊技機島が設けられている。このような遊技機島では、遊技機をできるだけ多く設置するため、遊技機間の間隔が極めて狭くなっている。このことから、隣り合う遊技機をそれぞれ使用する遊技客は、必然的に互いに近い位置に着座することとなる。
【０００３】
ここで、隣り合う遊技機をそれぞれ使用する遊技客のうち、一方の遊技客が喫煙を始めた場合、喫煙によって生じる煙が他方の遊技客の所まで流れてしまうという問題が生じる。すなわち、遊技客が他人の喫煙により生じる煙によって気分を害してしまうという問題である。
そこで、このような問題を防止するための方策として、遊技機間に分煙ボートを設けるという方法が知られている。すなわち、隣り合う遊技客の間に板体による仕切りを設けることで、喫煙する遊技客の周辺から他の遊技客の周辺へと向かう煙の流れを遮蔽し、喫煙によって生じる煙が他の遊技客の周辺まで流れないようにする方策である。
このような分煙ボートとして、例えば、特許文献１に開示されたものが知られている。
【０００４】
特許文献１に開示された分煙ボード（遊技場用設備）は、喫煙に起因する煙を遮蔽する遮蔽部材を備えるものとなっており、遊技機島の壁面の内側に遮蔽部材を収納した状態と、壁面の外側に遮蔽部材を展開した状態とを切替え可能な構造となっている。すなわち、この分煙ボードは、遊技客が必要に応じて遮蔽部材を出し入れすることで、遮蔽部材を収納した状態と、遮蔽部材を展開した状態とを切替えるものとなっている。
【先行技術文献】
【特許文献】
【０００５】
【特許文献１】特開２０１５−１１６３１５号公報
【発明の概要】
【発明が解決しようとする課題】
【０００６】
ところで、遮蔽部材を遊技場で使用する際、営業時間外においては、遊技機の入れ替え作業や清掃作業等の各種作業の邪魔にならないように、遮蔽部材を遊技機島の内部に収納した状態としている。すなわち、営業終了後、遊技機島毎に複数設置されたすべての遮蔽部材を遊技場の従業員が一つ一つ手動で遊技機島の内部に収納した状態とし、遊技機の入れ替え作業や清掃作業等の各種作業を実施している。また、営業開始時には、全ての遮蔽部材を展開した状態とし、遊技客の来店を待つことが一般的である。つまり、営業開始前に行う開店準備作業の一環として、遊技場の従業員がすべての遮蔽部材を一つ一つ手動で遊技機島の外部に展開している。
【０００７】
このような遊技場従業員による遮蔽部材を出退させる作業は、遊技場全体の遮蔽部材の数が多量になることから、大変に手間である。
【０００８】
そこで、本発明では、上記したような遮蔽部材を出退させる作業の手間を軽減可能な遊技場用設備の提供を課題とする。
【課題を解決するための手段】
【０００９】
上記課題を解決するための請求項１に記載の発明は、１又は複数の遊技機を配設して形成される遊技機島に設けられる遮蔽ユニットを複数有し、複数の前記遮蔽ユニットに向けて制御信号を送信可能な操作装置をさらに備え、前記遮蔽ユニットは、立板状の遮蔽板部と、外郭部材を有するものであり、前記遮蔽板部は、前記外郭部材に対し、前記外郭部材の内側から外側へ向かう突出方向への移動と、前記外郭部材の外側から内側へ向かう退入方向への移動が可能な状態で取り付けられており、前記操作装置から制御信号が送信されることで、複数の前記遮蔽ユニットの前記遮蔽板部がいずれも前記突出方向へ移動する、又は、いずれも前記退入方向へ移動するものであり、前記遮蔽ユニットは、動力生成部と、動作規制部とを有し、前記動力生成部は、前記外郭部材の内側から外側へ向かう力、又は、前記外郭部材の外側から内側へ向かう力を前記遮蔽板部に対して付与するように、前記遮蔽板部と直接又は間接的に連結され、前記遮蔽板部が前記突出方向への移動前の状態、又は、前記退入方向への移動前の状態であるとき、前記動力生成部が常時力を付与するものであり、前記動作規制部は、前記遮蔽板部又は前記遮蔽板部に固定された連結用部材と係合可能であり、前記操作装置から制御信号が送信されることで、複数の前記遮蔽ユニットのそれぞれで前記動作規制部と前記遮蔽板部又は前記連結用部材の係合が解除され、複数の前記遮蔽ユニットの前記遮蔽板部がいずれも前記突出方向へ移動する、又は、いずれも前記退入方向へ移動するものであり、前記遮蔽ユニットは、前記動力生成部と前記遮蔽板部の間に介在する動力伝達機構を備え、前記動力生成部は、前記動力伝達機構に対し、前記突出方向及び前記退入方向の双方とは異なる方向に力を加えるものであり、前記動力伝達機構によって力の向きが変換されて、前記遮蔽板部に前記外郭部材の内側から外側へ向かう力、又は、前記外郭部材の外側から内側へ向かう力が付与されることを特徴とする遊技場用設備である。
【００１０】
本発明の遊技場用設備は、操作装置と、複数の遮蔽ユニットを備えており、操作装置を操作することで、複数の遮蔽ユニットの遮蔽板部を出退させることが可能となっている。つまり、複数の遮蔽板部を一括で退入させたり、展開させたりすることが可能となるので、遮蔽板部を一つ一つ奥側に退入させて収納したり、一つ一つ手前側に引き出して展開させたりする作業をする必要がなく、作業員の手間を軽減できる。
【００１１】
本発明では、前記遮蔽ユニットは、動力生成部と、動作規制部とを有し、前記動力生成部は、前記外郭部材の内側から外側へ向かう力、又は、前記外郭部材の外側から内側へ向かう力を前記遮蔽板部に対して付与するように、前記遮蔽板部と直接又は間接的に連結され、前記遮蔽板部が前記突出方向への移動前の状態、又は、前記退入方向への移動前の状態であるとき、前記動力生成部が常時力を付与するものであり、前記動作規制部は、前記遮蔽板部又は前記遮蔽板部に固定された連結用部材と係合可能であり、前記操作装置から制御信号が送信されることで、複数の前記遮蔽ユニットのそれぞれで前記動作規制部と前記遮蔽板部又は前記連結用部材の係合が解除され、複数の前記遮蔽ユニットの前記遮蔽板部がいずれも前記突出方向へ移動する、又は、いずれも前記退入方向へ移動する。
【００１２】
かかる構成によると、比較的簡易な構造で複数の遮蔽板部の一括退入や一括展開が可能となるので、遊技場用設備の製造コスト増加を抑制可能であり、好ましい。
【００１３】
本発明では、前記遮蔽ユニットは、前記動力生成部と前記遮蔽板部の間に介在する動力伝達機構を備え、前記動力生成部は、前記動力伝達機構に対し、前記突出方向及び前記退入方向の双方とは異なる方向に力を加えるものであり、前記動力伝達機構によって力の向きが変換されて、前記遮蔽板部に前記外郭部材の内側から外側へ向かう力、又は、前記外郭部材の外側から内側へ向かう力が付与される。
【００１４】
かかる構成では、動力生成部によって生じる力の向きを動力伝達機構で変換することが可能であるので、必ずしも動力生成部で生じる力の向きと遮蔽板部の移動方向を揃えるように動力生成部を配置する必要がなく、動力生成部の配置位置の自由度を向上させることができる。
このことから、動力生成部を有効に活用されない空間（所謂デッドスペース）等に配置することが可能となり、わざわざ動力生成部を配置する領域を確保して遮蔽ユニットを形成する必要がなく、遮蔽ユニットの小型化を図ることが可能となる。
【００１５】
請求項２に記載の発明は、１又は複数の遊技機を配設して形成される遊技機島に設けられる遮蔽ユニットを複数有し、複数の前記遮蔽ユニットに向けて制御信号を送信可能な操作装置をさらに備え、前記遮蔽ユニットは、立板状の遮蔽板部と、外郭部材を有するものであり、前記遮蔽板部は、前記外郭部材に対し、前記外郭部材の内側から外側へ向かう突出方向への移動と、前記外郭部材の外側から内側へ向かう退入方向への移動が可能な状態で取り付けられており、前記操作装置から制御信号が送信されることで、複数の前記遮蔽ユニットの前記遮蔽板部がいずれも前記突出方向へ移動する、又は、いずれも前記退入方向へ移動するものであり、前記遮蔽ユニットは、動力生成部と、動作規制部とを有し、前記動力生成部は、前記外郭部材の内側から外側へ向かう力、又は、前記外郭部材の外側から内側へ向かう力を前記遮蔽板部に対して付与するように、前記遮蔽板部と直接又は間接的に連結され、前記遮蔽板部が前記突出方向への移動前の状態、又は、前記退入方向への移動前の状態であるとき、前記動力生成部が常時力を付与するものであり、前記動作規制部は、前記遮蔽板部又は前記遮蔽板部に固定された連結用部材と係合可能であり、前記操作装置から制御信号が送信されることで、複数の前記遮蔽ユニットのそれぞれで前記動作規制部と前記遮蔽板部又は前記連結用部材の係合が解除され、複数の前記遮蔽ユニットの前記遮蔽板部がいずれも前記突出方向へ移動する、又は、いずれも前記退入方向へ移動するものであり、前記動作規制部は、棒状部と本体部を有しており、前記操作装置から制御信号が送信されることで、前記棒状部が前記本体部の内側へ向かって移動するものであり、前記連結用部材には欠落部が形成されており、前記棒状部が前記欠落部に挿入されることで、前記動作規制部と前記連結用部材が係合するものであり、前記棒状部が前記本体部の内側へ向かって移動することで、前記動作規制部と前記連結用部材が係合解除されることを特徴とする遊技場用設備である。
【００１６】
かかる構成によると、遮蔽板部の移動構造をさらに簡易化できるので、好ましい。
【００１７】
ところで、遊技場では、営業時間の前後に行う従業員による遮蔽板部を出退させる作業、すなわち、上記した従業員による遮蔽板部を出退させる作業の他、営業時間内に遊技客が自身の着座位置と近接する位置に配された遮蔽板部を出退させたいという要求がある。
【００１８】
このような要求に基づいて提供される請求項３に記載の発明は、前記遮蔽ユニットには、個別操作装置が設けられており、前記個別操作装置が操作された前記遮蔽ユニットの前記遮蔽板部のみが前記突出方向へ移動する、又は、前記退入方向へ移動することを特徴とする請求項１乃至４のいずれかに記載の遊技場用設備である。
【００１９】
かかる構成によると、遊技客が遮蔽ユニットに設けられた個別操作装置を操作することで、自身と近接する位置に配された遮蔽ユニットの遮蔽板部のみを移動させ、遊技客の意思で展開させた状態や収納させた状態への移行が可能となっている。
【発明の効果】
【００２０】
本発明によると、多数の遮蔽部材を出退させる作業の手間を軽減可能である。
【図面の簡単な説明】
【００２１】
【図１】本発明の実施形態にかかる遊技場設備を模式的に示す説明図である。
【図２】図１の遊技機島を示す斜視図である。
【図３】図１の遊技機島に対し遮蔽ユニットを取り付ける様子を示す説明図である。
【図４】図３の遮蔽ユニットを示す斜視図であり、筐体を透過させて示す。
【図５】図４の遮蔽部材を示す斜視図である。
【図６】図４の筐体を示す一部破断斜視図である。
【図７】図４の遮蔽ユニットの内部構造を示す断面図である。
【図８】図４の遮蔽ユニットの内部のうち動作規制部の周辺を示す斜視図であり、ロック係合部と動作規制部が係合している様子を示す。
【図９】図４の遮蔽ユニットを模式的に示す説明図であり、（ａ）は収納姿勢を示し、（ｂ）は遮蔽姿勢を示す。
【図１０】ロック係合部が奥側へ移動していき、ロック係合部と動作規制部が係合するまでの様子を示す説明図であり、左側は斜め上方からみた図、右側は上方からみた図であって、（ａ）〜（ｃ）の順に移動していく。
【図１１】図４とは異なる実施形態の遮蔽ユニットを模式的に示す説明図であり、（ａ）は収納姿勢を示し、（ｂ）は遮蔽姿勢を示す。
【図１２】図４、図１１とは異なる実施形態の遮蔽ユニットを模式的に示す説明図であり、筐体を透過して示す図であって、（ａ）は収納姿勢を示し、（ｂ）は遮蔽姿勢を示す。
【図１３】図４、図１１、図１２とは異なる実施形態の遮蔽ユニットを模式的に示す一部破断斜視図である。
【図１４】図４、図１１乃至図１３とは異なる実施形態の遮蔽ユニットを模式的に示す図であり、（ａ）、（ｂ）はそれぞれ異なる実施形態の遮蔽ユニットを示す。
【発明を実施するための形態】
【００２２】
以下に、本発明の各実施形態について詳細に説明するが、本発明はこれらの例に限定されるものではない。また、以下の説明において、上下左右の位置関係については特に断りのない限り通常の設置状態を基準として説明する。
【００２３】
本発明の実施形態に係る遊技場用設備１は、図１で示されるように、ホールコンピュータ２（操作装置）と、遊技機島３に取り付けられる遮蔽ユニット４を備えた構造となっている。
【００２４】
ホールコンピュータ２は、遊技場に属する各種機器を統括して管理するために使用されるコンピュータである。
このホールコンピュータ２は、各種演算処理を行うＣＰＵ（中央演算装置）、主メモリであるＲＯＭ、各種データを一時記憶するためのＲＡＭ、通信Ｉ／Ｆ、ＨＤＤ（ハードディスクドライブ）等の記憶装置、キーボード、マウス等の入力装置を備えたものとなっている。
【００２５】
そして、このホールコンピュータ２は、遊技機島３に取り付けられた遊技機７、遊技媒体貸出機８、データランプ９、遮蔽ユニット４等の機器と、台コンピュータや島コンピュータ（図示しない）を介して（又は直接）各種信号の送受信が可能となっている。つまり、これらの機器との間でネットワークが形成されており、各種機器を制御するための信号を送信可能となっており、各種機器から送信された各種情報を含む信号を受信可能となっている。
なお、台コンピュータとは、１台又は少数（２台乃至３台）の遊技機７を制御対象とする制御装置であり、島コンピュータとは、１つの遊技機島３に属する機器を制御対象とする制御装置である。
また、上記したネットワークは、典型的には、ＬＡＮ（Ｌｏｃａｌ  Ａｒｅａ  Ｎｅｔｗｏｒｋ）であるが、有線／無線を問わずデータ送受信可能な回線であればどのような構成でもよい。
さらにまた、図１、図２において、作図の都合上、一部の遊技機７、データランプ９、遊技媒体貸出機８、遮蔽ユニット４にのみ符号を付し、他への符号を省略する。
【００２６】
詳細に説明すると、ホールコンピュータ２のＲＡＭには、ホールコンピュータ２の各種動作を制御するプログラムが記憶されている。そして、大容量メモリとして機能する記憶装置には、ＯＳ、制御プログラム、関連プログラム、遊技場の運営に関する各種データが記憶されている。
このことから、使用者が入力装置を操作し、制御信号を送信する命令を入力すると、メモリ上に展開したプログラムに従って実行されるＣＰＵの演算処理により、上記した台コンピュータ、島コンピュータ等の対象となる各種機器に所定の動作を実行させるための信号が発信されることとなる。
【００２７】
遊技機島３は、図２で示されるように、支柱や梁といった骨格部材（図示せず）に対し、外壁面を形成する板状部材を組み付け、遊技機７、遊技媒体貸出機８、データランプ９、遮蔽ユニット４を固定して形成されたものである。この遊技機島３は、全体の外形が水平方向に延びた方形状となっている。
【００２８】
遊技機７、遊技媒体貸出機８、データランプ９、遮蔽ユニット４は、いずれも遊技機島３の長側面に取り付けられている。
このとき、遊技機７は、側方に位置する遊技媒体貸出機８、上方に位置するデータランプ９のそれぞれと対応付けられている。すなわち、図２で示されるように、遊技機島３の長側面では、遊技機７、遊技媒体貸出機８、データランプ９が組となって形成される機器群を形成し、複数の機器群が遊技機島３の長手方向に沿って並列配置されている。
【００２９】
ここで、遊技機島３の長側面のうち、比較的上側に位置する部分では、複数のデータランプ９が遊技機島３の長手方向に沿ってそれぞれ所定の間隔を空けて並列した状態となっている。そして、各データランプ９は、それぞれの下方に配された遊技機７と対となっている。
【００３０】
また、遊技機島３の長側面のうち、データランプ９の下方側に位置する部分では、組となる遊技機７と遊技媒体貸出機８とが、データランプと同数だけ取り付けられている。そして、対となる遊技機７とデータランプ９が上下方向で僅かに間隔を空けて並列しており、遊技機７と遊技媒体貸出機８とが水平方向で隣接配置されている。
【００３１】
ここで、遮蔽ユニット４は、図２、図３で示されるように、並列配置される２つの遊技機７の間に取り付けられている。
より具体的には、隣接するように並列配置された２つの遊技機７のうち、一方の遊技機７と、他方の遊技機７に対応付けられた遊技媒体貸出機８の間に取り付けられている。
言い換えると、遊技機７の水平方向における片側側方には遊技媒体貸出機８を配置しており、他方側側方には遮蔽ユニット４を配置している。
【００３２】
そして、ホールコンピュータ２を操作することで、複数の遮蔽ユニット４を遮蔽部材１５の大部分が筐体１６（外郭部材）の内部に収納された退避姿勢から、遮蔽部材１５の大部分が外部に突出した遮蔽姿勢へ移行させることが可能となっている（詳しくは後述する、図９等参照）。
【００３３】
まず、遮蔽ユニット４の構造について詳細に説明する。
【００３４】
本実施形態の遮蔽ユニット４は、図４で示されるように、遮蔽部材１５と、筐体１６と、駆動手段１７を備えた構造となっている。
【００３５】
遮蔽部材１５は、図５で示されるように、遮蔽板部２５と、板側上レール部２６と、板側下レール部２７と、伝達部材係合部２８と、ロック係合部２９（連結用部材）を備えた構造となっている。
【００３６】
遮蔽板部２５は、透明の立板状の部分であり、奥行き方向の長さが長くなっている板上側部２５ａと、下方に向かうにつれて奥行き方向の長さが短くなる板中側部２５ｂと、奥行き方向の長さが短くなっている板下側部２５ｃを備えており、これらが一体となった形状となっている。
また、奥行き方向の最も手前側に位置する部分のうち、板上側部２５ａの上側端部となる部分、板上側部２５ａと板中側部２５ｂの境界となる部分、板中側部２５ｂと板下側部２５ｃの境界となる部分は、丸みを帯びた形状となっている。すなわち、遮蔽板部２５の縁端の一部分は、丸みを帯びた形状となっている。
【００３７】
板側上レール部２６は、奥行き方向に延びる部分であり、断面形状が略Ｌ字状で延びる取付板部２６ａと、断面形状が略コ字状で延びる板側上レール本体２６ｂを備えた形状となっている。
取付板部２６ａは、平板状の基端側板部と、基端側板部から上方に突出する立板状部とを備えている。そして、基端側板部が遮蔽板部２５の上面に対して取り付けられた状態となっている。
板側上レール本体２６ｂは、上下方向で離間対向する平板状の上側板部と下側板部を備えており、且つ、これら上側板部と下側板部を連結するように延びる立板状の連結板部を備えた構造となっている。言い換えると、連結板部の上端側部分と下端側部分から、それぞれ上側板部と下側板部が突出した状態となっている。
【００３８】
そして、取付板部２６ａの立板状部の一側面と、板側上レール本体２６ｂの連結板部の一側面とが密着した状態で、取付板部２６ａと板側上レール本体２６ｂが固定されている。ここで、立板状部の一側面と密着する連結板部の一側面は、上側板部の下面及び下側板部の上面と連続する側面とは異なる側面となっている。すなわち、上側板部の下面及び下側板部の上面と連続する側面と、連結板部の厚さ方向で離間対向する側面となっている。
【００３９】
板側下レール部２７もまた、奥行き方向に延びており、断面形状が略Ｌ字状で延びる取付板部２７ａと、断面形状が略コ字状で延びる板側下レール本体２７ｂを備えた形状となっている。
すなわち、取付板部２７ａは、平板状の基端側板部と、基端側板部から下方に突出する立板状部とを備えている。そして、基端側板部が遮蔽板部２５の下面に対して取り付けられた状態となっている。
また、板側下レール本体２７ｂは、上下方向で離間対向する平板状の上側板部と下側板部を備えており、且つ、これら上側板部と下側板部を連結するように延びる立板状の連結板部を備えた構造となっている。
そして、取付板部２７ａの立板状部の一側面と、板側下レール本体２７ｂの連結板部の一側面とが密着した状態で、取付板部２７ａと板側下レール本体２７ｂが固定されている。
【００４０】
なお、板側下レール本体２７ｂの上側板部及び下側板部の突出方向と、板側上レール本体２６ｂの上側板部及び下側板部の突出方向とは、同方向となっている。
【００４１】
伝達部材係合部２８は、平板状の部分であり、遮蔽板部２５の上端部分のうち、奥行き側の端部よりに位置する部分から側方へ突出する状態で取り付けられている。
より具体的には、この伝達部材係合部２８の突出方向は、板側上レール本体２６ｂと板側下レール本体２７ｂのそれぞれの上側板部及び下側板部の突出方向と、逆方向となっている。
【００４２】
ここで、伝達部材係合部２８は、伝達部材係合部２８を厚さ方向（上下方向）に貫通するワイヤー取付部３２を備えた構造となっている。なお、このワイヤー取付部３２は、開口形状が円形の貫通孔となっている。
このワイヤー取付部３２は、動力伝達機構４４の一部であるワイヤー部材４８（詳しくは後述する）の一端を取り付けるための部分となっている。
【００４３】
ロック係合部２９は、立板状の部分であり、遮蔽板部２５の奥側端部のうち、下端よりもやや上方に位置する部分から、さらに奥側へ向かって突出する部分となっている。
ここで、ロック係合部２９の厚さ方向は、遮蔽板部２５の厚さ方向と同方向であって、上下方向及び奥行き方向に対して略直交する方向となっている。
そして、ロック係合部２９には、ロック係合部２９を厚さ方向に貫通する係合孔部３３（欠落部）が設けられている。この係合孔部３３は、開口形状が円形の貫通孔となっている。
【００４４】
筐体１６は、図４で示されるように、奥行き方向の手前側に位置する遮蔽部材突出口３５と、操作ボタン３６（個別操作装置）とを備えた箱状の部分となっている。
遮蔽部材突出口３５は、内外を連通する孔であり、上下方向の長さが遮蔽部材１５の上下方向の長さ以上であり、幅方向（上下方向及び奥行き方向と直交する方向）の長さが遮蔽部材１５の厚さ方向の長さ以上となっている。
【００４５】
操作ボタン３６は、筐体１６の内部に内蔵された制御基板（図示しない）と信号線を介して接続された状態であり、押圧することで、駆動手段１７の動作規制部４５を動作させるための制御信号が生成され、動作規制部４５が駆動制御されることとなる。
より具体的には、押圧することで、動作規制部４５の可動鉄心５３（棒状部）が本体部５４に退入する動作を実施する（図８等参照、詳しくは後述する）。
【００４６】
また、筐体１６の内部には、図６で示されるように、箱側上レール部３７と、箱側下レール部３８とが設けられている。
【００４７】
箱側上レール部３７は、筐体１６の内壁面を形成する立板状の側壁部分のうちの一つに対して固定されている。より詳細には、遮蔽部材突出口３５の奥側と隣接する位置であり、且つ、側壁部分の上方側に固定されている。
この箱側上レール部３７は、奥行き方向に延びる立板状の部材を適宜折り曲げて形成されるものであり、上下方向で離れた２箇所が、固定される内壁側に向かって凸となるように折り曲げられている。すなわち、箱側上レール部３７には、上下方向で間隔を空けて配される２つの溝状部分が形成されており、この２つの溝状部分が互いに平行となるように奥行き方向に延びている。そして、それぞれの溝状部分は、箱側上レール部３７が固定される側壁部分に向かって窪んだ状態となっている。
【００４８】
箱側下レール部３８は、箱側上レール部３７が固定された側壁部分と同じ側壁部分に対して固定されるものであり、遮蔽部材突出口３５の奥側に位置する部分と隣接する位置であり、且つ、側壁部分の下方側に対して固定されている。
ここで、箱側下レール部３８は、断面形状が箱側上レール部３７と同形状で、奥行き方向に延びる部材となっている。
つまり、箱側下レール部３８は、箱側上レール部３７の下方側に離れた位置に固定されており、箱側上レール部３７と互いに平行となるように奥行き方向に延びている。
【００４９】
駆動手段１７は、動力生成部４３と、動力伝達機構４４と、動作規制部４５を備えた構造となっている。
【００５０】
動力生成部４３は、弾性変形可能な部材によって形成されており、詳細には、弦巻バネを採用している。より具体的には、上下方向（鉛直方向）で伸縮可能に取り付けられた弦巻バネを採用している。
すなわち、この動力生成部４３は、下方側の一端が筐体１６の内部空間の底面に固定されており、上方側の他端が動力伝達機構４４の一部であるワイヤー部材４８（詳しくは後述する）に対して固定されている。
【００５１】
動力伝達機構４４は、ワイヤー部材４８と、第１滑車部４９と、第２滑車部５０とを備えた構造となっている。
【００５２】
ワイヤー部材４８は、線状に細長く延びる金属製の部材であり、鉄線や鋼線そのものや、これらをより合わせて作成したワイヤー等を好適に採用可能となっている。
このワイヤー部材４８は、２つの滑車（第１滑車部４９と、第２滑車部５０）に掛けられた状態で延びており、筐体１６の内部空間の最も奥側（図７の左側）よりもやや手前側で上下方向に延びた部分と、上下方向に延びた部分の上端から手前側へ延びた部分と、手前側で折り返し、手前側から奥側下方へ延びた部分とを有している。
このとき、筐体１６の内部空間の最も上側よりやや下方に、奥側から手前側へ延びた部分が位置しており、そのさらに下方側に、手前側から奥側下方へ延びた部分が位置している。
【００５３】
第１滑車部４９は、筐体１６に固定された軸部と、軸部に対して回転可能に固定された車輪部とを有しており、車輪部の外周面には、幅方向の中心付近に、外周に沿って延びる凹溝部分が形成されている。
ここで、軸部は、筐体１６の幅方向（厚さ方向であり、奥行き方向及び上下方向に対して直交する方向）に延びる軸となっている。また、凹溝部分は、内側に向かって窪んだ部分となっている、
このことから、第１滑車部４９の車輪部は、ワイヤー部材４８のうち、奥側で上下方向に延びる部分と、上側で奥側から手前側へ延びる部分の間に位置する部分が凹溝部分に挿入された状態で、縦回転可能な状態となっている。言い換えると、ワイヤー部材４８は、下方側に位置する一端側から上側へ向かって延びた後、第１滑車部４９を経由し、奥側から手前側へ延びた状態となっている。
【００５４】
第２滑車部５０は、第１滑車部４９の同形の滑車であり、軸部の延び方向もまた、第１滑車部４９の軸部の延び方向と同一となっている。
この第２滑車部５０は、第１滑車部４９の前方、すなわち、筐体１６の内部空間の手前側であり、上方となる位置に固定されている。
そして、この第２滑車部５０の車輪部には、ワイヤー部材４８のうち、上側で奥側から手前側へ延びる部分と、その下方で、手前側から奥側へ延びる部分の間に位置する部分が凹溝部分に挿入された状態で、縦回転可能な状態となっている。言い換えると、ワイヤー部材４８は、奥側に位置する第１滑車部４９を経由して奥側から手前側へ延びた後、第２滑車部５０を経由して折り返し、奥側へ延びた状態となっている。
【００５５】
つまり、本実施形態の動力伝達機構４４では、ワイヤー部材４８が第１滑車部４９と、第２滑車部５０を経由して延びており、ワイヤー部材４８の一端側が動力生成部４３の上端に固定され、他端側が遮蔽部材１５の伝達部材係合部２８に固定されている（図４等参照）。より詳細には、伝達部材係合部２８の係合孔部３３にワイヤー部材４８の一部が挿通された状態で、ワイヤー部材４８が伝達部材係合部２８に固定された状態となっている。このことから、ワイヤー部材４８の一端側が動力生成部４３によって下方側へ引かれると、遮蔽部材１５がワイヤー部材４８によって手前側へ引かれることとなる。
【００５６】
動作規制部４５は、常時外側へ突出するように付勢された可動鉄心５３と、側壁の一部が欠落した箱体の内部に主要部を収納して形成される本体部５４とを備えたソレノイドとなっている。この動作規制部４５は、本体部５４の内部（主要部の内部）に位置する固定鉄心をコイルで励磁させることで、可動鉄心５３が、付勢力に抗して本体部５４の内部（主要部の内部）へ退入する方向へと移動する。
すなわち、可動鉄心５３は、通常は（固定鉄心からの力が加わらない際には）、大部分が本体部５４から外部に突出した状態となっている（以下、この状態を鉄心突出状態とも称す）。言い換えると、大部分が外部に露出した状態となっている。
対して、固定鉄心をコイルで励磁させた際には、可動鉄心５３の外部に露出していた部分の大半が本体部５４の内部（本体部５４の主要部の内部）に収納された状態となる（以下、この状態を鉄心退入状態とも称す）。
【００５７】
可動鉄心５３は、外形が略円柱状の棒状部分であり、鉄心突出状態において、一端側が本体部５４の内部（本体部５４の主要部の内部）に退入しており、他端側を含む大部分が外部に露出した状態となっている。
ここで、可動鉄心５３の延び方向（長手方向）の端部のうち、突出状態において、本体部５４から最も離れた位置にある端部である突端部分の周辺には、傾斜面部５３ａが形成されている。
【００５８】
傾斜面部５３ａは、突端部分を斜めに切り落として形成される傾斜面であり、具体的には、径方向における一端側であり長手方向における端部側から、径方向における他端側であり長手方向における中心側までの間を斜めに切断して形成される傾斜面となっている。
ここで、本実施形態では、可動鉄心５３が横倒した姿勢で水平方向に延びており、傾斜面部５３ａが手前側を向いた状態で本体部５４に取り付けられている。
すなわち、傾斜面部５３ａの傾斜方向は、突出方向の基端側へ向かうにつれ手前側へ向かう方向（又は、突出方向の突出端側へ向かうにつれ奥側へ向かう方向）となっている。言い換えると、傾斜面部５３ａのうちで最も手前側に位置する部分は、突出端から突出方向の基端側に離れた位置にあり、最も奥側に位置する部分は、突出端に位置している。
【００５９】
本実施形態では、図４、図７で示されるように、この動作規制部４５は、筐体１６の内部空間のうち、動力生成部４３、動力伝達機構４４よりも手前側となる奥側よりの位置であり、下端からやや上方に位置する部分に固定されている。
【００６０】
なお、この動作規制部４５は、外部の電源装置（遊技機島３の内部にある電源装置であり、図示しない）から供給される電力が、筐体１６に内蔵された制御基板（図示しない）や、電源線、制御基板とは別途設けられたドライバ基板等を介して供給される構造となっている。
【００６１】
そして、上記した遮蔽部材１５の板側上レール部２６が、筐体１６の箱側上レール部３７と係合し、且つ、遮蔽部材１５の板側下レール部２７が筐体１６の箱側下レール部３８と係合した状態で、遮蔽部材１５が筐体１６に取り付けられている。より具体的には、箱側上レール部３７の２つの溝状部分に対して板側上レール本体２６ｂの上側板部と下側板部の突出端側部分が挿入され、箱側下レール部３８の２つの溝状部分に対して板側下レール本体２７ｂの上側板部と下側板部の突出端側部分が挿入されている。
このことにより、遮蔽部材１５は、筐体１６から内部側から外側へ向かう方向と、筐体１６の外側から内部側へ向かう方向へ移動可能な状態で、筐体１６に取り付けられている。
【００６２】
続いて、遮蔽ユニット４を退避姿勢から遮蔽姿勢へ移行させる際の動作について説明する。
【００６３】
本実施形態では、ホールコンピュータ２を操作することで、遮蔽ユニット４を自動的に退避姿勢から遮蔽姿勢へ移行させることが可能となっている。
具体的には、全ての遮蔽ユニット４を遮蔽姿勢へ移行させるように命令する操作をすることで、遊技場内の全ての遮蔽ユニット４を自動的に遮蔽姿勢へ移行させることが可能となっている。これに加え、遊技機島３を指定する操作を実施し、遮蔽姿勢へ移行させるように命令する操作を実施することで、指定した遊技機島３に属する全ての遮蔽ユニット４を自動的に遮蔽姿勢へ移行させることが可能となっている。さらに、特定の遮蔽ユニット４を指定する操作を実施し、遮蔽姿勢へ移行させるように命令する操作を実施することで、指定した遮蔽ユニット４を自動的に遮蔽姿勢へ移行させることが可能となっている。
なお、特定の遮蔽ユニット４を指定する操作において、一つのみの遮蔽ユニット４を指定した場合、その指定した遮蔽ユニット４のみを遮蔽姿勢へ移行させることも可能となっている。
また、それぞれの遮蔽ユニット４に設けられた操作ボタン３６を押圧することで、操作ボタン３６を押圧した遮蔽ユニット４のみを退避姿勢から遮蔽姿勢へ移行させることも可能となっている。
【００６４】
ホールコンピュータ２の操作に基づいて形成された信号を遮蔽ユニット４が受信した場合、又は、操作ボタン３６を押圧された場合、動作規制部４５は、可動鉄心５３の大部分が本体部５４から突出した状態（鉄心突出状態であり、図８で示される状態）から、可動鉄心５３の大部分が本体部５４の内部に退入した状態（鉄心退入状態）へ一時的に移行する。
【００６５】
このことにより、動作規制部４５とロック係合部２９の係合が解除されることとなる。すなわち、可動鉄心５３がロック係合部２９の係合孔部３３に挿入された状態から、可動鉄心５３がロック係合部２９の係合孔部３３に挿入されていない状態へと移行する。
したがって、ロック係合部２９は、前方への移動が可動鉄心５３によって規制される（阻止される）状態から、前方へ移動可能な状態となる。
【００６６】
ここで、動力生成部４３は、図９（ａ）等で示されるように、遮蔽ユニット４が退避姿勢であるときに自然長から伸びた状態となっている。このことから、遮蔽ユニット４が退避姿勢であるとき、動力生成部４３には、自然長に戻ろうとする復元力が働いていることとなる。
【００６７】
したがって、動作規制部４５とロック係合部２９の係合が解除されたとき、動力生成部４３によって、ワイヤー部材４８の一方端側が下方へ引っ張られ、それに伴い、ワイヤー部材４８の他方端側が手前側へと引っ張られることとなる。
具体的には、ワイヤー部材４８の一方端側が下方へ引っ張られることで、第１滑車部４９から手前側に延びる部分が奥側（図９における左側）へと引っ張られることとなる。これに伴って、第２滑車部５０から奥側に延びる部分が手前側（図９における右側）と引っ張られる。このことにより、ワイヤー部材４８の他方端側が手前側へ引っ張られることとなる。
【００６８】
ここで、上記したように、ワイヤー部材４８の他方端側は、遮蔽部材１５の奥側に位置する伝達部材係合部２８（図９では図示しない、図４等参照）に取り付けられている。このため、伝達部材係合部２８がワイヤー部材４８によって手前側へ引っ張られ、伝達部材係合部２８が取り付けられた遮蔽部材１５の奥側が手前側へ引っ張られることとなる。
【００６９】
このことにより、遮蔽部材１５は、図９で示されるように、奥側から手前側へ引き出され、遮蔽姿勢へ移行する。言い換えると、筐体１６の内側から外側へ向かう方向に遮蔽部材１５が移動し、結果、遮蔽部材１５の大部分が外部に突出した状態である遮蔽姿勢へ移行する。
【００７０】
なお、遮蔽姿勢から再び退避姿勢へ移行するときは、遮蔽部材１５を手動で奥側へと押し入れる。
ここで、動作規制部４５は、一時的に鉄心退入状態へ移行した後、再び、鉄心突出状態へ移行するので、遮蔽ユニット４が遮蔽姿勢となった際には、再び鉄心突出状態となっている。
したがって、遮蔽部材１５を奥側へ移動させると、図１０で示されるように、ロック係合部２９の奥側面（後端面）の端部に位置する角部分が可動鉄心５３の傾斜面部５３ａに接触した状態となる（図１０（ａ）参照）。
【００７１】
このとき、さらに遮蔽部材１５を奥側へ移動させることで、ロック係合部２９が奥側へ移動し、可動鉄心５３が本体部５４の内部に退入していく。このため、ロック係合部２９と可動鉄心５３の接触位置が可変していく。
具体的に説明すると、上記したように、ロック係合部２９が縦板状の部分であることから、ロック係合部２９が傾斜面部５３ａに当接する際、ロック係合部２９のうちで奥側に位置する上下方向に延びた角部分が、傾斜面部５３ａと線接触した状態となる。この状態でロック係合部２９が奥側に移動しようとすると、ロック係合部２９から可動鉄心５３に奥側へ向かう力が加わり、その分力が可動鉄心５３の退入方向に作用する。すなわち、傾斜面部５３ａが傾斜面を形成していることから、奥側へ向かう力の分力が可動鉄心５３に作用し、可動鉄心５３が退入していく。
【００７２】
そして、ロック係合部２９の角部分と可動鉄心５３の接触位置が可変していくと、ロック係合部２９の角部分と可動鉄心５３の突出端と接触した状態となる。その状態でロック係合部２９がさらに奥側に移動し、可動鉄心５３がさらに退入すると、図１０（ｂ）で示されるように、ロック係合部２９のうちで動作規制部４５側に位置する側面と、可動鉄心５３の突出端とが接触した状態となる。
【００７３】
この状態（図１０（ｂ）の状態）で、ロック係合部２９が奥側へ移動していくと、それに伴って、ロック係合部２９と可動鉄心５３の突出端と接触位置が可変していく。より具体的には、ロック係合部２９が奥側へ移動するにつれて、ロック係合部２９のより手前側に可動鉄心５３の突出端が接触することとなる。言い換えると、ロック係合部２９における可動鉄心５３との接触位置が、ロック係合部２９の奥側からロック係合部２９の手前側へ移動していく。
なお、この状態では、可動鉄心５３は、鉄心退入状態よりも大部分が外部に突出しており、鉄心突出状態程には大部分が外部に突出していない状態となる。そして、ロック係合部２９の側面によって、可動鉄心５３のさらなる突出が阻止されることとなる。すなわち、可動鉄心５３の突出方向における外側にロック係合部２９が位置し、可動鉄心５３の突出端がロック係合部２９と接触していることから、可動鉄心５３のさらなる突出をロック係合部２９が阻止することとなる。
【００７４】
そして、ロック係合部２９と可動鉄心５３の接触位置が、係合孔部３３の奥側に隣接する位置まで移動した状態で、さらにロック係合部２９が奥側へ移動することにより、係合孔部３３の内部に可動鉄心５３が挿入されることとなる。つまり、ロック係合部２９が奥側へ移動することで、係合孔部３３と可動鉄心５３の突出端がロック係合部２９の厚さ方向で重なる位置に配された状態となる。この状態では、可動鉄心５３の突出方向における外側にロック係合部２９の側面が位置せず、この側面が可動鉄心５３の突出を阻止しないので、可動鉄心５３が鉄心突出状態へ移行することとなる。このことにより、可動鉄心５３が係合孔部３３に挿入された状態となる。
このことにより、遮蔽ユニット４が退避姿勢（図９（ａ）参照）へと移行する。つまり、筐体１６の外側から内側へ向かう方向に遮蔽部材１５が移動し、結果、遮蔽部材１５の大部分が内部に収納された状態（内部に退入した状態）となる。
【００７５】
このように、遮蔽ユニット４が退避姿勢であるとき、係合孔部３３に可動鉄心５３が挿入され、ロック係合部２９と動作規制部４５が係合する。この状態では、ロック係合部２９の手前側（前方）への移動を可動鉄心５３が阻止することとなる。すなわち、ロック係合部２９が移動しようとしても、係合孔部３３の内周面が可動鉄心５３と当接し、その移動が阻止される。つまり、遮蔽部材１５の一部であるロック係合部２９の手前側への移動が阻止されることから、遮蔽部材１５もまた、手前側への移動が阻止される。
このことにより、遮蔽ユニット４が退避姿勢であるとき、遮蔽部材１５を手動で引き出すことができない状態となっている。
【００７６】
なお、上記した実施形態では、遊技機島３として所謂ぱちんこ島の例を示した。すなわち、遊技機７がぱちんこ機であり、遊技媒体貸出機８が玉貸機である例を示したが、本発明の遮蔽ユニット４を設置する遊技機島はこれに限るものではない。
例えば、遊技機７としてスロットマシンを設置し、遊技媒体貸出機８としてメダル貸機を設置した所謂スロット島と称される遊技機島に、遮蔽ユニット４を設置してもよい。
【００７７】
そして、上記した実施形態では、伝達部材係合部２８、係合孔部３３が貫通孔である例を示したが、これに限らず、これらは切り欠き溝であってもよい。さらに伝達部材係合部２８は、ワイヤー部材４８の一端が固定できればよく、例えば、ワイヤー部材４８の端部側部分を巻き付ける突起等であってもよい。
また、係合孔部３３は、可動鉄心５３と係合可能であればよく、可動鉄心５３が挿入される窪み状の部分（凹部）であってもよい。
【００７８】
上記した実施形態では、外郭部材として箱状の筐体１６を採用した遮蔽ユニット４の例を示したが、外郭部材は、骨格部材によって形成した（又は大部分を形成した）枠状部材を採用してもよい。すなわち、筐体１６のように上板、下板、幅方向の端部に位置する側壁部分、奥側に位置する側壁部分、手前側に位置する前板部分等を形成してこれらによって内部空間を囲繞する必要は必ずしもなく、内部空間は、骨格部材の内部に位置する空間であってよい。言い換えると、内部空間は、遮蔽部材突出口３５以外の部分が面上に広がる部分によって囲繞されたものでなくてよく、上方、手前側、奥側、側方に位置して面状に広がる部分の少なくとも一部が欠落した構造であってもよい。
【００７９】
上記した実施形態では、一枚の縦板状の遮蔽板部２５を備えた遮蔽部材１５の例を示したが、本発明の遮蔽板部は、必ずしも一枚の板状部材によって形成されなくてもよい。
例えば、収納時に複数の板状部材が筐体１６の幅方向（遊技機７の並列方向）で並列するように配置し、板状部材同士を互いに相対移動可能に連結させ、複数段に展開させる構造としてもよい。
つまり、収納時（退避姿勢時）においては、複数の板状部材を筐体１６の幅方向で重なり合った状態で筐体１６の内部に収納させ、それぞれの板状部材を手前側へ移動させることで展開させる（遮蔽姿勢とする）構造としてもよい。このとき、展開時に奥側に位置する板状部材に対して、展開時に手前側に位置する板状部材を奥行き方向への移動を可能な状態で取り付ける。すなわち、奥側に位置する板状部材が最も手前側まで移動した状態において、この板状部材に取り付けられた板状部材がさらに手前側へ移動可能な構造とする。
この場合、展開した状態では、最も手前側に位置する板状部材の奥側部分と、手前から２番目に位置する板状部材の手前側部分とが幅方向で重なる状態、又は、最も手前側に位置する板状部材の奥側端部と手前から２番目に位置する板状部材の手前側端部とが奥行き方向で隣接し、且つ、幅方向でずれた位置に配された状態となる。
以下同様に、２番目以降の板状部材においても、手前側の板状部材と奥側の板状部材が上記のように配された状態となる。このことにより、複数段の引き出しが可能となる。
【００８０】
また、複数の板状部材によって形成する遮蔽板部とする場合、奥側に位置する板状部材の内部から手前側の板状部材を引き出す構造であってもよい。
この構造について具体的に説明すると、展開時に奥側に位置する板状部材の内側に手前側が開口した空間を設け、展開時において手前側となる板状部材をこの空間に挿入し、遮蔽板部が組み立てられるものとする。そして、収納時には、展開時に手前側となる板状部材の全て又は大部分を、展開時に奥側に位置する板状部材の内側に位置させた状態とし、展開させる際には、それぞれを手前側へ移動させた状態とする。
つまり、奥側に位置する板状部材を最も手前側まで移動した状態において、この板状部材の内部に収納された板状部材を引き出し可能な構造とする。このことにより、複数段の引き出しが可能となる。
【００８１】
これらの場合、いずれか一つの板状部材（例えば、展開時に最も手前側となる板状部材）に対し、動力生成部４３によって生成される力が付与される構造としてもよく、駆動手段１７の一部又は全ての部材を複数設け、複数の板状部材に力が付与される構造としてもよい。
また、いずれか一つの板状部材から他の板状部材へ力が伝達されるように、これらの間に動力伝達部材を設けてもよい。
【００８２】
上記した実施形態では、操作装置としてホールコンピュータ２を採用する例を示したが、本発明はこれに限るものではない。
例えば、ホールコンピュータ２に替わって、オン状態とオフ状態を切り替え可能な外部スイッチ装置を採用してもよい。すなわち、オフ状態からオン状態に切り替える操作をすることで、複数の遮蔽ユニット４を遮蔽姿勢へ移行させる構造であってもよい。
また、外部スイッチ装置は、一つだけ設けて遊技場の全ての遮蔽ユニット４を対象としてもよく、複数の外部スイッチ装置をそれぞれ異なる遊技機島３に対応付け、それぞれの外部スイッチ装置を操作することで、所定の遊技機島３に属する遮蔽ユニット４が動作する構造としてもよい。すなわち、１又は複数の外部スイッチ装置に、所定の複数の遮蔽ユニット４を対応付けし、外部スイッチ装置が操作されたとき、対応付けされた遮蔽ユニット４が動作する構造としてもよい。
【００８３】
上記した実施形態では、遮蔽板部２５に取り付けられたロック係合部２９と動作規制部４５が係合する例について説明したが、本発明はこれに限るものではない。
例えば、遮蔽板部２５に直接貫通孔（厚さ方向に貫通する貫通孔）や、切り欠き溝、凹部等の係合部を設け、動作規制部４５と直接係合させてもよい。
【００８４】
上記した実施形態では、遮蔽板部２５に固定された伝達部材係合部２８にワイヤー部材４８を固定する例について説明したが、本発明はこれに限るものではない。
例えば、遮蔽板部２５に直接貫通孔や切り欠き溝を設け、ワイヤー部材４８を遮蔽板部２５に直接固定してもよい。つまり、ワイヤー部材４８の一端を遮蔽板部２５に固定するとき、他部材（伝達部材係合部２８）を介して間接的に固定してもよく、遮蔽板部２５に対して直接固定してもよい。
【００８５】
上記した実施形態では、動作規制部としてソレノイドを採用した例について説明した。すなわち、動作規制部がソレノイドのみによって形成される例を示したが、本発明はこれに限るものではない。
例えば、ソレノイドと、可動鉄心５３に対して固定される棒状部材の２部材によって、動作規制部を形成してもよい。この場合、可動鉄心５３の出退に応じて棒状部材が移動し、棒状部材が係合孔部３３に挿通されることで、動作規制部とロック係合部２９が係合した状態となる。
すなわち、動作規制部は、複数の部材によって形成されてもよく、ソレノイドの動作に応じて他部材が動作する構造であってもよい。
【００８６】
また、上記した実施形態では、駆動手段１７として、動力生成部４３と、動力伝達機構４４と、動作規制部４５を設けた例を示したが、本発明はこれに限るものではない。
例えば、図１１で示されるように、動力伝達機構４４を設けず、動力生成部１４３であるばね部材によって遮蔽部材１５を直接押圧する遮蔽ユニット１０４であってもよい。すなわち、動力生成部１４３を遮蔽部材１５に直接連結させる構造であってもよい。
なお、以下で上記した実施形態とは異なる本発明の各実施形態について説明するが、同様の部分については、同じ符号を付し、重複する説明を省略する。
【００８７】
この遮蔽ユニット１０４では、筐体１６の内側壁面のうち、最も奥側（図１１における左側）に位置する面に動力生成部１４３の一端を固定し、遮蔽部材１５の奥側に位置する部分に他端を固定している。そして、動力生成部１４３が奥行き方向で伸縮するものとし、遮蔽ユニット１０４が退避姿勢にあるとき、動力生成部１４３が自然長よりも短くなり、遮蔽姿勢にあるとき、動力生成部１４３が自然長に戻った状態となっている。
【００８８】
さらに、上記した実施形態では、ホールコンピュータ２や操作ボタン３６を操作することで、遮蔽ユニット４を自動的に退避姿勢から遮蔽姿勢へ移行させ、手動で遮蔽部材１５を押し入れることで、遮蔽姿勢から退避姿勢へ移行させる例について示したが、本発明はこれに限るものではない。
【００８９】
例えば、図１２で示されるように、ホールコンピュータ２や操作ボタン３６を操作することで、遮蔽ユニット４を自動的に遮蔽姿勢から退避姿勢へ移行させ、手動で遮蔽部材１５を引き出すことで、退避姿勢から遮蔽姿勢へ移行させる遮蔽ユニット２０４としてもよい。
【００９０】
遮蔽ユニット２０４の遮蔽部材２１５は、上記した遮蔽部材１５と同様に板側上レール部２６と板側下レール部２７を備えた構造となっている。
そして、上記した遮蔽部材１５のロック係合部２９が、遮蔽板部２５の奥側端部のうち、下端よりもやや上方に位置する部分から奥側へ突出しているのに対し、遮蔽部材２１５のロック係合部２２９（連結用部材）では、遮蔽板部２５の厚さ方向で離間対向する２側面のうちの一方から、さらに厚さ方向の外側へ突出した状態となっている。
より具体的には、板下側部２５ｃの側面のうち、奥側端部よりもやや手前側であり、下端側付近となる位置から側方へ突出した状態となっている。
【００９１】
このロック係合部２２９は、平板状の部分であり、その上面から下面までを貫通する係合孔部２３３（欠落部）が設けられている。すなわち、係合孔部２３３は、開口形状が円形であり、ロック係合部２２９を厚さ方向（上下方向）に貫通する貫通孔となっている。
【００９２】
また、この遮蔽ユニット２０４では、動作規制部４５が直立した姿勢で配されており、筐体１６の内部空間のうち、手前側端部よりやや奥側に位置する部分に、配置された状態となっている。
そして、図１２で示されるように、傾斜面部５３ａ（図８等参照）が奥側を向いた状態で固定されている。
【００９３】
この遮蔽ユニット２０４では、動力生成部２４３に弦巻ばねを採用しており、筐体１６の内側壁面のうち、最も奥側に位置する面に動力生成部２４３の一端を固定し、遮蔽部材２１５の奥側に位置する部分に他端を固定している。そして、動力生成部２４３は、奥行き方向で伸縮するものとし、遮蔽ユニット２０４が遮蔽姿勢にあるとき、動力生成部２４３が自然長よりも長くなり、退避姿勢にあるとき、動力生成部２４３が自然長に戻った状態となるものとする。
【００９４】
このような構造では、退避姿勢（図１２（ａ）参照）であるとき、遮蔽部材２１５を手動で引き出すことで、遮蔽姿勢（図１２（ｂ）参照）へと移行する。このとき、遮蔽部材２１５の手前側（前方）への移動に伴って、遮蔽部材２１５に取り付けられたロック係合部２２９もまた手前側へ移動する。そして、ロック係合部２２９の手前側面（前面）と可動鉄心５３の傾斜面部５３ａが当接した後、可動鉄心５３が一時的に下方側へと移動し、その後に上方へ突出して、可動鉄心５３が係合孔部２３３に下方側から挿入される。このことにより、ロック係合部２２９と動作規制部４５が、遮蔽部材２１５の奥側への移動を阻止するように、係合した状態となる。
【００９５】
対して、遮蔽姿勢（図１２（ｂ）参照）であるとき、ホールコンピュータ２や操作ボタン３６が操作され、可動鉄心５３が下方側に位置する本体部５４の内部に退入し、動作規制部４５が一時的に鉄心退入状態へ移行すると、ロック係合部２２９と動作規制部４５の係合が解除される。このことにより、遮蔽部材２１５が奥側へと移動し、遮蔽姿勢から退避姿勢へ移行する。
【００９６】
上記した各実施形態では、ホールコンピュータ２や操作ボタン３６が操作に応じて、ソレノイドが稼働し、それに伴って遮蔽部材が移動する例について説明したが、本発明はこれに限るものではない。
本発明の遮蔽ユニットは、これらの操作に応じてモータが稼働し、遮蔽部材が移動する構造としてもよい。
【００９７】
例えば、図１３で示されるように、遮蔽部材１５の伝達部材係合部２８、ロック係合部２９に替わって、ラック部材３２７を固定した遮蔽部材３１５と、ピニオンギア３５３を固定したモータ３４５とを備えた遮蔽ユニット３０４であってもよい。
【００９８】
具体的には、ラック部材３２７は、奥行き方向に延びる長尺状の部材であり、遮蔽板部２５の厚さ方向で離間対向する２側面のうちの一方に固定されている。
すなわち、ラック部材３２７の手前側に位置する部分が遮蔽板部２５の側面のうち、下端近傍であり、奥側よりの位置に固定されている。
また、ラック部材３２７のうち、遮蔽板部２５の厚さ方向において外側に位置する側面は、歯切りされた状態となっている。
【００９９】
ピニオンギア３５３は、鉛直軸回りに回転する円盤状の歯車であり、平面視した際に径方向の中心となる位置に貫通孔が形成されている。そして、この貫通孔に対し、モータ３４５の回転軸が挿通され、モータ３４５の回転軸がピニオンギア３５３に固定された状態となっている。
すなわち、モータ３４５は、回転軸が箱体から上方に向かって突出する姿勢で配されており、回転軸が鉛直方向（上下方向）に沿って延びた状態となっている。
【０１００】
そして、ラック部材３２７の歯切りされた部分と、ピニオンギア３５３の外周面に形成された歯の部分が噛合した状態となっている。すなわち、モータ３４５の回転軸が回転し、回転軸に固定されたピニオンギア３５３が回転すると、回転方向に応じてラック部材３２７が奥行き方向（前後方向）のいずれか一方へと移動する。詳細には、モータ３４５が順回転した場合、奥行き方向の一方（例えば手前側）へと移動し、逆回転した場合、奥行き方向の他方（例えば奥側）へと移動する。
このように、遮蔽部材３１５の一部であるラック部材３２７が手前側や、奥側へ移動することから、遮蔽部材３１５もまた手前側や、奥側へ移動する。
【０１０１】
つまり、上記と同様に、ホールコンピュータ２で遮蔽ユニット３０４を自動的に退避姿勢から遮蔽姿勢へ移行させるように命令する操作をすることで、対象となる遮蔽ユニット３０４のモータ３４５を稼働させ、自動的に遮蔽姿勢へ移行させることが可能となる。
反対に、ホールコンピュータ２で遮蔽ユニット３０４を自動的に遮蔽姿勢から退避姿勢へ移行させるように命令する操作をすることで、対象となる遮蔽ユニット３０４のモータ３４５を稼働させ、自動的に退避姿勢へ移行させることが可能となる。
【０１０２】
また、筐体１６の内部に、遮蔽部材３１５の位置を検出する位置検出手段として機能するセンサ等を設けることで、操作ボタン３６が操作された際、位置検出手段の検出結果に基づいて、自動的に退避姿勢から遮蔽姿勢へ移行させたり、遮蔽姿勢から退避姿勢へ移行させたりしてもよい。
すなわち、遮蔽部材３１５が奥側に位置している際に（退避姿勢であるときに）、操作ボタン３６が操作された場合、遮蔽部材３１５が手前側へ移動するようにモータ３４５を回転させてもよい。
対して、遮蔽部材３１５が手前側に位置している際に（遮蔽姿勢であるときに）、操作ボタン３６が操作された場合、遮蔽部材３１５が奥側へ移動するようにモータ３４５を回転させてもよい。
【０１０３】
すなわち、上記した動力生成部４３、１４３、２４３が、遮蔽部材１５、２１５が遮蔽姿勢であるとき、又は、退入姿勢であるときに常時力を付与するものであるのに対し、モータ３４５は、遮蔽部材３１５の移動時にのみ力を付与するものとなっている。言い換えると、モータ３４５は、遮蔽部材３１５の移動時にのみ力を付与する移動時動力生成部として機能する。
【０１０４】
上記した遮蔽ユニット３０４では、歯切りされた部分が側方を向くようにラック部材３２７を取り付けているが、ラック部材３２７の取り付け位置や取り付け向きは適宜変更してよく、例えば、歯切りされた部分が上方や下方を向くように取り付けてもよい。それに応じて、モータ３４５及びピニオンギア３５３の取り付け位置及び取り付け向きもまた、適宜変更してもよい。
【０１０５】
さらに、ピニオンギア３５３を固定したモータ３４５に限らず、図１４で示されるように、モータが内蔵されたリール部材４４５を備えた構造の遮蔽ユニット４０４，５０４であってもよい。すなわち、遮蔽部材４１５、５１５の移動時にのみ力を付与する移動時動力生成部として、リール部材４４５を採用してもよい。
【０１０６】
まず、１つ目のリール部材４４５を備えた遮蔽ユニット４０４について説明する。
【０１０７】
遮蔽ユニット４０４の遮蔽部材４１５は、図１４（ａ）で示されるように、上記した遮蔽部材１５と比べ、伝達部材係合部２８と、ロック係合部２９が設けられておらず、ワイヤー固定部４２８が設けられている点で異なっている。
ワイヤー固定部４２８は、遮蔽板部２５の奥側面からさらに奥側に突出する半環状の部分であり、リール部材４４５から延びるワイヤーの端部を固定することが可能となっている。
【０１０８】
この遮蔽ユニット４０４では、退避姿勢から遮蔽姿勢へ移行させる際には、遮蔽部材４１５を手動で引き出し、遮蔽姿勢から退避姿勢へ移行させる際には、リール部材４４５を稼働してワイヤーを巻き取る動作を実施させることで、遮蔽部材４１５を自動で退入させる構造としている。
【０１０９】
次に、２つ目のリール部材４４５を備えた遮蔽ユニット５０４について説明する。
【０１１０】
遮蔽ユニット５０４の遮蔽部材５１５は、上記した遮蔽部材４１５と比べ、ワイヤー固定部５２８の形成位置が異なっている。
すなわち、この遮蔽部材５１５では、ワイヤー固定部５２８は、遮蔽板部２５の上面のうち、奥側端部よりやや手前となる位置から上方に突出するように設けられている。
【０１１１】
ここで、この遮蔽ユニット５０４は、上記した第２滑車部５０と同形状の滑車部材５５０を備えた構造となっている。この滑車部材５５０は、リール部材４４５の本体部分よりも手前側へ離れた位置であり、筐体１６の内部空間における手前側上方に位置している。そして、リール部材４４５から延びるワイヤーが、この滑車部材５５０に掛けられた状態となっている。つまり、ワイヤーは、奥側から手前側へ延びた後、滑車部材５５０を経由して折り返し、奥側へ延びており、延び方向の端部がワイヤー固定部５２８に固定された状態となっている。
【０１１２】
この遮蔽ユニット５０４では、遮蔽姿勢から退避姿勢へ移行させる際には、遮蔽部材５１５を手動で押し込み、退避姿勢から遮蔽姿勢へ移行させる際には、リール部材４４５を稼働してワイヤーを巻き取る動作を実施させ、遮蔽部材５１５を自動で突出させる構造としている。つまり、滑車部材５５０を力の向きを変換する変換手段として機能させ、ワイヤーを巻き取ることで生じる奥側へ向かう力を、手前側へ向かう力に変換し、遮蔽部材５１５に伝達している。
【符号の説明】
【０１１３】
１    遊技場用設備
２    ホールコンピュータ（操作装置）
３    遊技機島
４，１０４，２０４，３０４，４０４，５０４    遮蔽ユニット
７    遊技機
１６    筐体（外郭部材）
２５    遮蔽板部
２９，２２９    ロック係合部（連結用部材）
３３，２３３    係合孔部（欠落部）
３６    操作ボタン（個別操作装置）
４３，１４３，２４３    動力生成部
４４    動力伝達機構
４５    動作規制部
５３    可動鉄心（棒状部）
５４    本体部
【図１】
0006775817.tif 000002
【図２】
0006775817.tif 000003
【図３】
0006775817.tif 000004
【図４】
0006775817.tif 000005
【図５】
0006775817.tif 000006
【図６】
0006775817.tif 000007
【図７】
0006775817.tif 000008
【図８】
0006775817.tif 000009
【図９】
0006775817.tif 000010
【図１０】
0006775817.tif 000011
【図１１】
0006775817.tif 000012
【図１２】
0006775817.tif 000013
【図１３】
0006775817.tif 000014
【図１４】
0006775817.tif 000015